(57)【要約】【課題】繋ぎ部材による結合時に取り付けのバラツキがあっても、継ぎ目の目立たないデザイン性のよい加熱調理器を提供することを目的とする。【解決手段】鍋などを載置する天板の外周部を覆設する枠体１２と、枠体１２とは別体で天板の一辺を覆設する前板１３と、枠体１２と前板１３間を繋ぐ繋ぎ部材１４とを備え、繋ぎ部材１４は、枠体１２と前板１３との端面部が当たる突出部１５を有し、この突出部１５により枠体１２と前板１３との少なくとも一方の端面部を覆って繋ぐようにしたものである。これによって、繋ぎ部材１４による結合時に取り付けのバラツキがあっても、繋ぎ部材１４の突出部１５により枠体１２と前板１３との少なくとも一方の端面部を覆うことにより、継ぎ目の目立たないデザイン性のよい加熱調理器を提供することができる。【選択図】図２
2008057930.tif 000002
【特許請求の範囲】
【請求項１】
鍋などを載置する天板と、前記天板の外周部を覆設する枠体と、前記枠体とは別体で前記天板の一辺を覆設する前板と、前記枠体と前記前板間を繋ぐ繋ぎ部材とを備え、前記繋ぎ部材は、枠体と前板との端面部が当たる突出部を有し、この突出部により枠体と前板との少なくとも一方の端面部を覆って繋ぐようにした加熱調理器。
【請求項２】
天板と枠体、および天板と前板の間にはそれぞれ両者を接着する接着材を設け、かつ繋ぎ部材と前記天板、枠体、前板との間にもそれぞれ両者を接着する接着材を設け、前記接着材により全周にシール層を形成した請求項１に記載の加熱調理器。
【請求項３】
天板の下方には天板支持板を設け、前記天板と前記天板支持板は接着材で全周接着した請求項１または２に記載の加熱調理器。
【請求項４】
枠体、前板、繋ぎ部材の下面は略同一面に構成するとともに、前記枠体、前板、繋ぎ部材の下面全周にはシール材を設けた請求項１〜３のいずれか１項に記載の加熱調理器。
【請求項５】
繋ぎ部材の突出部は、枠体または前板側に対して、テーパ形状とした請求項１〜４のいずれか１項に記載の加熱調理器。
【請求項６】
繋ぎ部材は、その一部を枠体と前板との少なくとも一方に内嵌合させて組み立てるようにした請求項１〜５のいずれか１項に記載の加熱調理器。
【請求項７】
前板を構成する前板側面部は、天板支持板と繋ぎ部材の近傍においてのみオーバラップさせ接着してなる請求項３に記載の加熱調理器。
【発明の詳細な説明】
【技術分野】
【０００１】
本発明は、鍋などを天板上に載置して加熱調理する加熱調理器に関するものである。
【背景技術】
【０００２】
従来、この種の加熱調理器として、天板の外周部を複数の枠体で覆い、各枠体間は中央部に突出部を有する繋ぎ部材で結合されているものが知られている（例えば、特許文献１参照）。
【特許文献１】特開２００６−０５９７４３号公報
【発明の開示】
【発明が解決しようとする課題】
【０００３】
しかしながら、前記従来の構成では、各枠体間の繋ぎ部材による結合時に取り付けのバラツキがあると、枠体端面と繋ぎ部材との間に隙間が生じて、加熱調理器としての外観を損なう恐れがあった。
【０００４】
本発明は、繋ぎ部材による結合時に取り付けのバラツキがあっても、継ぎ目の目立たないデザイン性のよい加熱調理器を提供することを目的とする。
【課題を解決するための手段】
【０００５】
前記従来の課題を解決するために、本発明の加熱調理器は、鍋などを載置する天板と、前記天板の外周部を覆設する枠体と、前記枠体とは別体で前記天板の一辺を覆設する前板と、前記枠体と前記前板間を繋ぐ繋ぎ部材とを備え、前記繋ぎ部材は、枠体と前板との端面部が当たる突出部を有し、この突出部により枠体と前板との少なくとも一方の端面部を覆って繋ぐようにしたものである。
【０００６】
これによって、繋ぎ部材による結合時に取り付けのバラツキがあっても、繋ぎ部材の突出部により枠体と前板との少なくとも一方の端面部を覆うことにより、継ぎ目の目立たないデザイン性のよい加熱調理器を提供することができる。
【発明の効果】
【０００７】
本発明の加熱調理器は、繋ぎ部材による結合時に取り付けのバラツキがあっても、継ぎ目の目立たないデザイン性のよい加熱調理器を提供することができる。
【発明を実施するための最良の形態】
【０００８】
第１の発明は、鍋などを載置する天板と、前記天板の外周部を覆設する枠体と、前記枠体とは別体で前記天板の一辺を覆設する前板と、前記枠体と前記前板間を繋ぐ繋ぎ部材とを備え、前記繋ぎ部材は、枠体と前板との端面部が当たる突出部を有し、この突出部により枠体と前板との少なくとも一方の端面部を覆って繋ぐようにした加熱調理器とすることにより、繋ぎ部材による結合時に取り付けのバラツキがあっても、繋ぎ部材の突出部により枠体と前板との少なくとも一方の端面部を覆うことにより、継ぎ目の目立たないデザイン性のよい加熱調理器を提供することができる。
【０００９】
第２の発明は、特に、第１の発明において、天板と枠体、および天板と前板の間にはそれぞれ両者を接着する接着材を設け、かつ繋ぎ部材と前記天板、枠体、前板との間にもそれぞれ両者を接着する接着材を設け、前記接着材により全周にシール層を形成したことにより、シール性が向上でき、信頼性の高い加熱調理器を提供することができる。
【００１０】
第３の発明は、特に、第１または第２の発明において、天板の下方には天板支持板を設け、前記天板と前記天板支持板は接着材で全周接着したことにより、シール性を大きく向上でき、信頼性の高い加熱調理器を提供することができる。
【００１１】
第４の発明は、特に、第１〜第３のいずれか１つの発明において、枠体、前板、繋ぎ部材の下面は略同一面に構成するとともに、前記枠体、前板、繋ぎ部材の下面全周にはシール材を設けたことにより、加熱調理器のキャビネット組み込み式において、キャビネット内に水の浸入しにくい信頼性の高いものとすることができる。
【００１２】
第５の発明は、特に、第１〜４のいずれか１つの発明において、繋ぎ部材の突出部は、枠体または前板側に対して、テーパ形状としたことにより、繋ぎ部材を目立たなくすることができるとともに、布巾などで拭く際にも、引っかかりのないお手入れ性のよい加熱調理器を提供することができる。
【００１３】
第６の発明は、特に、第１〜第５のいずれか１つの発明において、繋ぎ部材は、その一部を枠体と前板との少なくとも一方に内嵌合させて組み立てるようにしたことにより、例えば、繋ぎ部材を枠体に仮セットし、その後、前板へセットできるので、非常に組み立て性にすぐれた加熱調理器を提供することができる。
【００１４】
第７の発明は、特に、第１〜第６のいずれか１つの発明において、前板を構成する前板側面部は、天板支持板と繋ぎ部材の近傍においてのみオーバラップさせ接着してなることにより、前板の組み立て性がよく、また強度も十分確保できる加熱調理器を提供することができる。
【００１５】
以下、本発明の実施の形態について、図面を参照しながら説明する。なお、この実施の形態によって本発明が限定されるものではない。
【００１６】
（実施の形態１）
図１〜図３は、本発明の実施の形態１における加熱調理器を示すものである。
【００１７】
図１に示すように、本実施の形態における加熱調理器は、鍋などを載置するセラミックプレートなどで構成された天板１１と、天板１１の外周部を覆設する端部がコの字状の枠体１２と、枠体１２とは別体で天板１１の一辺を覆設する前板１３と、枠体１２と前板１３間を繋ぐ樹脂製の繋ぎ部材１４とを備えている。そして、この加熱調理器は、本実施の形態では、キヤビネット１６に組み込まれている。
【００１８】
前記枠体１２は直線状のものを２ヶ所内曲げし、天板１１の３辺を覆設している。また、天板１１の残りの１辺は、タッチキーなどを有する操作部１３ａを装備する前板１３の覆い部１３ｂで覆っている。前板１３は天板１側を除く他の３辺が下方にコの字状に折り曲げられた形状をしており、覆い部１３ｂのみが天板１側に突出した構成となっている。
【００１９】
繋ぎ部材１４は、図２、図３に示すように、枠体１２と前板１３との端面部が当たる突出部１５を有し、この突出部１５により前板１３の端面部を覆って（約１ｍｍ〜５ｍｍ程度重なり代有）繋ぐようにしている。また、繋ぎ部材１４の一部１４ａは枠体１２の端部に内嵌合している。なお、前板１３の端面部を覆うことに代えて突出部１５により枠体１２の端面部を覆うようにしてもよいし、内嵌合は前板１３の端部とも間で行ってもよい。
【００２０】
以上のように構成された加熱調理器について、以下その動作、作用を説明する。
【００２１】
まず、上記構成において、枠体１２を天板１１に取り付けることを考える。繋ぎ部材１４の一部１４ａを予め枠体１２と内嵌合させる。すなわち、枠体１２の端面部は、繋ぎ部材１４の突出部１５に突き当てられ、端面部のエッジ保護がなされている。そして、繋ぎ部材１４は枠体１２に圧入され仮セット（仮固定）されている。予め、天板１１にセットされた前板１３に対し、繋ぎ部材１４を仮セットした枠体１２を取り付ける際に、まず、枠体１２を天板１１に挟み込むように組み付ける。そして、枠体１２を前板１３側にずらして、繋ぎ部材１４を前板１３の端面部にあわせるようにする。ところで、動かしている繋ぎ部材１４が前板１３の端面部より外側にあり、覆設するようにセットするため、非常に入れやすく組み立てしやすい構成となっている。また、取り付け時に押し込みがバラツキ、例えば、奥まで入らなかったとしても、繋ぎ部材１４が前板１３の端面部を覆っているため、前板１３の端面部は隠され、外観上も隙間なく構成させることができる。
【００２２】
このように、繋ぎ部材１４を前板１３に覆設することにより、枠体１２の取り付け時にバラツキがあったとしても、枠体１２、前板１３の隙間を確実になくすこともできるし、さらに組み立てやすくすることができる。
【００２３】
以上のように、本実施の形態においては、繋ぎ部材１４は、枠体１２と前板１３との端面部が当たる突出部１５を有し、この突出部１５により枠体１２と前板１３との少なくとも一方の端面部を覆って繋ぐようにしたことにより、繋ぎ部材１４による結合時に取り付けのバラツキがあっても、繋ぎ部材１４の突出部１５により枠体１２と前板１３との少なくとも一方の端面部を覆うことにより、継ぎ目の目立たないデザイン性のよい加熱調理器を提供することができる。
【００２４】
また、繋ぎ部材１４は、その一部１４ａを枠体１２と前板１３との少なくとも一方に内嵌合させて組み立てるようにしたことにより、例えば、繋ぎ部材１４を枠体１２に仮セットし、その後、前板１３へセットできるので、非常に組み立て性にすぐれた加熱調理器を提供することができる。
【００２５】
なお、本実施の形態では、枠体１２は直線状のものを２ヶ所内曲げした構成としているが、この枠体１２を３分割（分割数は問わない）などして天板１１の各面を別の枠体にして、各々の継ぎ目をこの繋ぎ部材１４で繋いでも、同様の効果が得られるものである。
【００２６】
また、本実施の形態では、枠体１２に繋ぎ部材１４を仮セットしているが、既述したとおり、前板１３に予め仮セットして、枠体１２を覆設させてもよい。
【００２７】
また、繋ぎ部材１４の突出部１５の幅をできる限り小さくすれば、より外観において段差のないデザイン性のよい加熱調理器を提供できる。
【００２８】
また、繋ぎ部材１４の材質は樹脂だけでなくゴムでもよく、この場合は、よりシール性を高めることもできる。
【００２９】
また、加熱調理器は組み込み式だけではなく、据え置き式でも同様な効果が期待できるものである。
【００３０】
（実施の形態２）
図４、図５は、本発明の実施の形態２における加熱調理器を示すものである。加熱調理器としての構成は実施の形態１と同様であるので、相違点を中心に説明する。
【００３１】
本実施の形態では、天板１１と枠体１２との間の空間１７全周にわたって両者を接着するシリコンなどの耐熱性の接着材１８を設け（塗布し）、両者を接着するとともに、全周にシール層を形成したことにより、外からの水浸入に対するシールをも行っている。接着材１８はシリコンなどの液状のものに限られるものではなく、シールテープを挟み込んでシールさせてもよい。
【００３２】
以上のように構成された加熱調理器について、以下その動作、作用を説明する。
【００３３】
天板１１上から水をこぼし、枠体１２と天板１１の継ぎ目に水がきたときを考える。その際、枠体１２との間の空間１７には、接着材１８が設けてあるため、接着材１８により機器本体内への水浸入を防ぐことができる。接着材１８は天板１１と枠体１２との全周にわたって設けられているため、天板１１上のどこで水がこぼれても、機器本体内へ浸入することはない。
【００３４】
以上のように、本実施の形態においては、天板１１と枠体１２間にはそれぞれ両者を接着する接着材１８を設け、接着材１８により全周にシール層を形成したことにより、シール性が向上でき、信頼性の高い加熱調理器を提供することができる。
【００３５】
なお、接着材１８による全周のシール層は、天板１１と枠体１２間に設けた例を示したが、これに加え、天板１１と前板１３の間（天板１１と覆い部１３ｂの間）、および繋ぎ部材１４と天板１１、繋ぎ部材１４と枠体１２、繋ぎ部材１４と前板１３との間にもそれぞれ両者を接着する接着材１８を設けることで、さらにシール性を向上させ、信頼性を高めることができる。
【００３６】
また、繋ぎ部材１４が枠体１２内部に内嵌合している一部１４ａは、枠体１２の空間の大きさによっては、接着材１８を充満させることができない場合があるが、その際は、繋ぎ部材１４の内嵌合した一部１４ａの端部と枠体１２の隙間を確実に接着材１８で接着することにより、隙間はなくなるため、全周シールすることができるし、繋ぎ部材１４で覆設している部分についても、繋ぎ部材１４と前板１３、天板１１の隙間に接着材１８を設ければ、さらに確実にシール性は向上する。
【００３７】
（実施の形態３）
図６、図７は、本発明の実施の形態３における加熱調理器を示すものである。加熱調理器としての構成は実施の形態１、２と同様であるので、相違点を中心に説明する。
【００３８】
本実施の形態では、実施の形態２の構成に加え、天板１１の下方には天板１１を全周支持している天板支持板１９を設け、天板１１と天板支持板１９は、実施の形態２と同様、接着材１８で全周接着した構成としている。この接着材１８は、天板支持板１９に設けた全周段差２０内に設け（塗布し）、天板１１と天板支持板１９を接着している。
【００３９】
以上のように構成された加熱調理器について、以下その動作、作用を説明する。
【００４０】
天板１１上から水をこぼし、枠体１２と天板１１の継ぎ目に水がきたときを考える。その際、枠体１２と天板１１の間の空間１７には、接着材１８が塗布されているため、機器本体内への水浸入を防ぐことができるが、万が一、何かの理由で全周のシールが一部切れたと仮定する。その際においても、枠体１２内で天板１１の外周を通って、機器本体内に入ろうとした水に対して、天板支持板１９の全周段差２０に設けられた接着材１８によって、全周シールされるため、確実に機器本体内への水浸入を防止することができる。
【００４１】
以上のように、本実施の形態においては、天板１１の下方には天板支持板１９を設け、天板１１と天板支持板１９は接着材１８で全周接着したことにより、シール性を大きく向上でき、信頼性の高い加熱調理器を提供することができる。
【００４２】
（実施の形態４）
図８、図９は、本発明の実施の形態４における加熱調理器を示すものである。加熱調理器としての構成は実施の形態１〜３と同様であるので、相違点を中心に説明する。
【００４３】
本実施の形態では、枠体下面２１、前板下面２２、繋ぎ部材下面２３は略同一面に構成するとともに、各部材の下面全周にはシール材２４を設け（塗布し）ている。
【００４４】
以上のように構成された加熱調理器について、以下その動作、作用を説明する。
【００４５】
天板１１上からキャビネット１６に水をこぼしたことを考える。枠体１２とキャビネット１６の間に水が浸入して行くが、枠体１２の枠体下面２１には、シール材２４が設けてあり、キャビネット１６との隙間は埋められているので、キャビネット１６内に水が浸入することはない。これは、前板下面２２、繋ぎ部材下面２３のところでも、同じくシールされているため同様にキャビネット１６内に水が浸入することはない。枠体下面２１、繋ぎ部材下面２３あるいは前板下面２２、繋ぎ部材下面２３の繋ぎ目においては、どちらか一方を重ね合わせたり、また繋ぎ目をシール材２４で埋めたりするなどすることにより、全周繋ぎ合せることができるため、シール性は確保される。
【００４６】
以上のように、本実施の形態においては、枠体１２、前板１３、繋ぎ部材１４の下面は略同一面に構成するとともに、枠体１２、前板１３、繋ぎ部材１４の下面全周にはシール材２４を設けたことにより、加熱調理器のキャビネット組み込み式において、キャビネット１６内に水の浸入しにくい信頼性の高いものとすることができる。
【００４７】
なお、シール材２４は発泡シリコンのようなものだけでなく、シールテープを貼り付けてもよいし、ゴムパッキンを嵌めてもよい。
【００４８】
（実施の形態５）
図１０は、本発明の実施の形態５における加熱調理器を示すものである。加熱調理器としての構成は実施の形態１〜４と同様であるので、相違点を中心に説明する。
【００４９】
本実施の形態では、繋ぎ部材１４の突出部１５は、枠体１２または前板１３側に対して、テーパ形状２５としたものである。
【００５０】
以上のように構成された加熱調理器について、以下その動作、作用を説明する。
【００５１】
天板１１および枠体１２を汚して、拭き掃除するときを考える。布巾などで天板１１、枠体１２、繋ぎ部材１４を拭いていくのであるが、繋ぎ部材１４は枠体１２側に対し、段差があるのではなく、滑らかなテーパ形状２５で構成されているため、布巾などが引っかかることはなく、簡単にお手入れをすることができるし、またゴミなどもたまりにくくすることができる。また、外観も滑らかに見えるので、繋ぎ部材１４を目立たなくすることができ、デザイン性も向上できる。
【００５２】
以上のように、本実施の形態においては、繋ぎ部材１４の突出部１５は、テーパ形状２５としたことにより、繋ぎ部材１４を目立たなくすることができるとともに、布巾などで拭く際にも、引っかかりのないお手入れ性のよい加熱調理器を提供することができる。
【００５３】
（実施の形態６）
図１１、図１２は、本発明の実施の形態６における加熱調理器を示すものである。加熱調理器としての構成は実施の形態１〜５と同様であるので、相違点を中心に説明する。
【００５４】
本実施の形態では、繋ぎ部材２６は、枠体１２の端面部、および前板１３の端面部の両者を覆設するような構成になっている。なお、繋ぎ部材２６の一部２６ａは枠体１２（前板１３でもよい）に内嵌合しているものである。
【００５５】
以上のように構成された加熱調理器について、以下その動作、作用を説明する。
【００５６】
枠体１２と前板１３の間には、枠体１２と前板１３の端面部を覆設している繋ぎ部材２６を設けている（約１ｍｍ〜５ｍｍ程度重なり代有）ため、繋ぎ部材２６を仮セットした枠体１２が前板１３の端面部より外側にあり、繋ぎ部材２６を覆設するようにセットするため、非常に入れやすく組み立てしやすい構成となっている。また、取り付け時に押し込みがバラツキ、奥まで入らなかったとしても、繋ぎ部材２６が枠体１２および前板１３の端面部を覆っているため、枠体１２、前板１３の端面部は隠され、外観上も隙間なく構成させることができる。
【００５７】
以上のように、本実施の形態においては、繋ぎ部材２６は、枠体１２の端面部、および前板１３の端面部の両者を覆設するような構成としたことにより、枠体１２、前板１３の取り付け時にバラツキがあったとしても、枠体１２、前板１３の隙間を確実になくすことができ、継ぎ目の目立たないデザイン性の向上がはかれるとともに、組み立てやすくすることができる。
【００５８】
なお、繋ぎ部材２６の突出部１５の幅をできる限り小さくすれば、より外観において段差のないデザイン性のよい加熱機器が提供できる。
【００５９】
（実施の形態７）
図１３、図１４は、本発明の実施の形態７における加熱調理器の要部裏面を示すものである。加熱調理器としての構成は実施の形態１〜６と同様であるので、相違点を中心に説明する。
【００６０】
本実施の形態では、前板１３の前板側面部２９は、天板支持板１９と繋ぎ部材２６の近傍においてのみオーバラップさせ接着するようにしている。すなわち、天板支持体１９は、前板１３の前板側面部２９が繋ぎ部材２６の近傍の天板支持板下面２７とでしかオーバラップしていない（左右対称で２ヶ所）。つまり、前板１３の前板側面部２９と対向する天板支持板１９の箇所は、天板支持板前方側面２８が前板１３の前板側面部２９より内側に入った（幅を狭くした）構成としている。
【００６１】
以上のように構成された加熱調理器について、以下その動作、作用を説明する。
【００６２】
前板１３を天板１１および天板支持板１９にセットすることを考える。まず、天板支持板１９上には、天板１１が載置され接着されている。そして、そこに前板１３をセットするのであるが、前板１３の天板１１との接着部には接着材１８が塗布された状態でセットする必要がある。本構成では天板支持板前方側面２８が前板１３の前板側面部２９より内側にあるので、上からかぶせるようにセットできる。ところが、繋ぎ部材２６の近傍においては、天板支持板下面２７と前板下面２２はオーバラップしているため、セットする際は天板１１方向にスライドさせる必要がある。しかし、５ミリ程度スライドさせるだけでセットできるので、接着材１８がずれることなく容易に作業することができる。すなわち、オーバラップ部が多いと前板１３のスライド量が大きくなり、接着材１８が余計なところについたりしてしまう。そして、天板支持板１９と前板１３を一部のみでオーバラップさせることで、前板１３の天板支持板１９からの剥れの強度を強くすることができるので、作業性もよく、強度も確保された天板部構成を実現することができる。
【００６３】
以上のように、本実施の形態においては、前板１３の前板側面部２９は、天板支持板１９と繋ぎ部材２６の近傍においてのみオーバラップさせ接着してなることにより、前板１３の組み立て性がよく、また強度も十分確保できる加熱調理器を提供することができる。
【００６４】
なお、本実施の形態では、オーバラップ部を前板１３の前部下面と天板支持板前方前面の下面においても設けている。また、前板１３と天板支持板１９はねじなどで締結すれば、より強度が確保できる。
【産業上の利用可能性】
【００６５】
以上のように、本発明にかかる加熱調理器は、繋ぎ部材による結合時に取り付けのバラツキがあっても、継ぎ目の目立たないデザイン性のよい加熱調理器を提供することができるので、組み込み式だけではなく、据え置き式の調理器にも適用できるとともに、誘導加熱、ガスなど加熱源の種類を問わず適用できるものである。
【図面の簡単な説明】
【００６６】
【図１】（ａ）本発明の実施の形態１における加熱調理器の斜視図（ｂ）（ａ）におけるＡ−Ａ線による断面図
【図２】同加熱調理器の要部断面図
【図３】同加熱調理器の要部分解斜視図
【図４】本発明の実施の形態２における加熱調理器の要部断面図
【図５】同加熱調理器の斜視図
【図６】本発明の実施の形態３における加熱調理器の要部断面図
【図７】同加熱調理器の天板を外した斜視図
【図８】本発明の実施の形態４における加熱調理器の要部断面図
【図９】同加熱調理器の天板部の裏面斜視図
【図１０】本発明の実施の形態５における加熱調理器の要部斜視図
【図１１】本発明の実施の形態６における加熱調理器の要部断面図
【図１２】同加熱調理器の要部分解斜視図
【図１３】本発明の実施の形態７における加熱調理器の要部分解裏面斜視図
【図１４】同加熱調理器の要部裏面図
【符号の説明】
【００６７】
１１  天板
１２  枠体
１３  前板
１３ａ  操作部
１３ｂ  覆い部
１４、２６  繋ぎ部材
１５  突出部
１６  キャビネット
１７  空間
１８  接着材
１９  天板支持板
２１  枠体下面
２２  前板下面
２３  繋ぎ部材下面
２４  シール材
２５  テーパ形状
２７  天板支持板下面
２８  天板支持板前方側面
２９  前板側面部
【図１】
2008057930.tif 000003
【図２】
2008057930.tif 000004
【図３】
2008057930.tif 000005
【図４】
2008057930.tif 000006
【図５】
2008057930.tif 000007
【図６】
2008057930.tif 000008
【図７】
2008057930.tif 000009
【図８】
2008057930.tif 000010
【図９】
2008057930.tif 000011
【図１０】
2008057930.tif 000012
【図１１】
2008057930.tif 000013
【図１２】
2008057930.tif 000014
【図１３】
2008057930.tif 000015
【図１４】
2008057930.tif 000016